(57)【要約】【課題】利便性に優れた磁石カードおよび、これを用いた医療用衣服を提供する。【解決手段】磁石カード１０では、２枚の透明な軟質ポリ塩化ビニルからシート状基材により複数の棒状永久磁石を、これらの磁石相互間に適宜間隔をあけた状態で真空パックするとともに、シート状基材同士の密着部の適所に通気用の円形貫通孔を形成することにより、全体をカード型とする。ポケット３１を設けた衣服本体４１（サポータ本体）と、このポケットに出し入れ自在な磁石カード１０とにより医療用衣服３０（磁気サポータ）を構成する。サポータ本体には、これを人体の例えば脚部（ふくらはぎ）に巻きつけて固定するための第１〜第３の係止部材４２，５１ａ，５２ａを設ける。磁石カードは可撓性および気密性に富むカード型となっているから、簡便に取り扱うことができる。【選択図】図３
0003109199.tif 000002
【実用新案登録請求の範囲】
【請求項１】
プラスチックまたはゴムからなる２枚のシート状基材間に複数個の永久磁石を、磁石相互間に適宜間隔をあけて挿入配置し、気密状態に封止するとともに、これら永久磁石の動きを拘束して、全体をカード型に構成したことを特徴とする磁石カード。
【請求項２】
前記シート状基材が軟質ポリ塩化ビニル、軟質ポリエチレンまたは熱可塑性エラストマーからなることを特徴とする請求項１に記載の磁石カード。
【請求項３】
前記シート状基材が透明または半透明であることを特徴とする請求項２に記載の磁石カード。
【請求項４】
前記複数個の永久磁石を２枚のシート状基材間に挿入配置し、これらシート状基材の外周部同士および永久磁石近傍部位同士を熱溶着するとともに、これらシート状基材間の空気を排気することにより、永久磁石を２枚のシート状基材で挟持固定したことを特徴とする請求項２または３に記載の磁石カード。
【請求項５】
前記２枚のシート状基材における前記加熱溶着部を避けた所定部位に通気用の貫通孔を形成するとともに、該貫通孔の近傍部において前記２枚のシート状基材を熱溶着したことを特徴とする請求項４に記載の磁石カード。
【請求項６】
前記２枚のシート状基材は形状が長方形であり、前記複数個の永久磁石は、直径方向に着磁された棒状磁石であることを特徴とする請求項５に記載の磁石カード。
【請求項７】
前記棒状磁石と貫通孔とが２枚のシート状基材間に交互に碁盤目状に、かつ相互間に適宜間隔をあけて配置され、直径方向で隣り合う棒状磁石では、配置方向を同一にして、かつ上端部および下端部を揃えて配置されていることを特徴とする請求項６に記載の磁石カード。
【請求項８】
ポケットを設けた衣服本体と、請求項１〜７のいずれかに記載の磁石カードとを備えてなり、該磁石カードは前記ポケットに出し入れ自在であることを特徴とする医療用衣服。
【請求項９】
ポケットを設けたサポータ本体と、請求項１〜７のいずれかに記載の磁石カードとを備えてなり、該磁石カードは前記ポケットに出し入れ自在であり、前記サポータ本体の適所には互いに係止自在な係止部材が、これら相互間に適宜距離をあけて設けられていることを特徴とする磁気サポータ。
【請求項１０】
前記サポータ本体は帯状体であって、その長手方向片側の半部が長方形に形成され、該半部の長手方向外側端部の近傍には第１の係止部材が設けられ、
前記サポータ本体の長手方向反対側の半部は、長手方向の寸法が長・短に異なる第１、第２の股片に分かれているとともに、第１の股片の長手方向外側端部の近傍には第２の係止部材が、第２の股片の長手方向外側端部の近傍には第３の係止部材がそれぞれ設けられ、
前記第２、第３の係止部材は、前記第１の係止部材に対し係脱自在である、
ことを特徴とする請求項９に記載の磁気サポータ。
【請求項１１】
前記係止部材がマジックテープ（登録商標）であることを特徴とする請求項９または１０に記載の磁気サポータ。
【考案の詳細な説明】
【技術分野】
【０００１】
本考案は、血行促進効果を有する磁石カードおよび、この磁石カードを用いた利便性に優れる医療用衣服、とくに磁気サポータに関するものである。
【背景技術】
【０００２】
磁石が放つ磁力は血液の循環を促進し、肩こりや腰痛等を改善する効果を有するため、指輪、腕輪、時計バンド、健康器具さらには磁気ネックレスやペンダントなど、健康とフアッションを兼ね備えた各種の磁石商品が開発され、市販されている。これらの中には、所望の磁力を有する磁石を肩部等の肌に粘着テープ（例えば絆創膏）等によって直接貼着することにより、肩こり等を解消しようとする治療器具がある。
【０００３】
しかしながら、肌に直接添着する治療器具の場合は、貼着に利用する粘着テープ等により「かぶれ」の症状が起こる場合があり、人によっては使用することが困難であった。また、粘着テープを剥がした時に跡が残り易く、敬遠されがちであった。さらに、入浴時や、衣服から露出した場合には非常に不格好な印象を与えるといった問題があった。そこで、肌に直接貼着するのではなく、サポータや枕カバー等、衣類や寝具に係着させた状態でその効力を得ようとする治療器具が開発されている。
【０００４】
また下記特許文献１〜４には、血行促進効果を有する衣服が開示されている。以下これについて説明する。
【０００５】
特許文献１に記載された考案は、血行促進効果のある被服を提供することを目的とし、その構成は、肌に直接または間接的に接触する被服類の内側に永久磁石を配設してなる健康被服となっている。また、この被服の具体例としては下着、ブラジャー、手袋、腕バンド、帽子、ベルトが挙げられている。
【０００６】
特許文献２には、伸縮性を有する布地に、血行促進用の永久磁石を縫い付けた構造の下着が開示されている。この発明では、永久磁石に縫合用の孔をあけ、この孔に縫い糸を通すことで縫い付けを行っている。
【０００７】
特許文献３には、血行促進効果を有する膝サポータに関する発明が記載されている。この発明の目的は、装着しても見栄えを害することなく、装着中は膝の痛みを和らげる効果を継続的に得ることのできる膝サポータを提供することにあり、基本構成は以下の構成のとおりである。
すなわち、膝上部および膝下部にそれぞれ巻回される２本のバンド片の長手方向略中央部が結合され、膝裏にあてがわれる膝裏当て部が形成された平帯状のゴム基体と、前記各バンド片の左右両端部同士を着脱可能に接続するように各端部の表裏に設けられた面ファスナと、前記バンド片の内側面に配設された永久磁石と、を備えたことを特徴とする膝サポータである。
【０００８】
【特許文献１】実用新案登録第３０１７８１８号公報
【特許文献２】特開平５−１０３８４２号公報
【特許文献３】特開２００１−２６２４１２号公報
【考案の開示】
【考案が解決しようとする課題】
【０００９】
一般に、永久磁石を利用して血行促進させるようにした、上記医療用衣服の利便性を高めようとする場合、（１）洗濯が容易であること、また永久磁石を装着した基材や永久磁石に、洗濯に起因する損傷等が生じることがないこと、（２）使用する人の体力や体調、さらには目標とする血行促進効果に応じて、永久磁石の磁力を好ましい値に簡便に調整できることなどが要求される。
【００１０】
しかしながら、上記特許文献１〜３に記載された考案、発明のいずれにおいても、永久磁石が基材（特許文献１では被服本体，特許文献２では布地、特許文献３ではゴム基体）に固着されており、永久磁石を取り外したり、交換したりする構造とはなっていない。このため、上記した従来技術にあっては、上記（１）（２）の要求を十分満足させることは困難であった。
【００１１】
本考案は、従来技術の上記事情に鑑みなされたもの、その目的は、上記従来の要求に的確に応えることができる、利便性に優れた磁石カード（永久磁石包装体）および、これを用いた医療用衣服、とくに磁気サポータを提供することにある。
【課題を解決するための手段】
【００１２】
請求項１の考案に係る磁石カードは、プラスチックまたはゴムからなる２枚のシート状基材間に複数個の永久磁石を、磁石相互間に適宜間隔をあけて挿入配置し、気密状態に封止するとともに、これら永久磁石の動きを拘束して、全体をカード型に構成したことを特徴とする。
【００１３】
本考案では、上記シート状基材としてプラスチック製のシート（狭義）、フィルム（狭義）もしくは不織布、またはゴム製のシートを使用することができる。上記シート状基材用のプラスチックとしては、軟質で可撓性に富むものが好ましいが、ポリエステル樹脂、ポリアミド樹脂などのエンジニアリングプラスチックであっても、フィルム（シートに比べてごく薄く成形したもの）であれば、所望により採用することもできる。ゴム製のシートとしては、天然ゴムまたは合成ゴム（シリコーンゴム、ポリウレタンゴム等）が使用できる。また、永久磁石を２枚のシート状基材間に気密状態に封止する手段としては、熱溶着のほかに接着（接着剤を使用）、または粘着（粘着剤を使用）が採用できる。さらに、上記「永久磁石の動き拘束」とは、多少の動きがある場合のほか、「固着」を含んでいる。すなわち、永久磁石の動き拘束の手段としては、（ａ）永久磁石を２枚のシート状基材で挟持するもの、（ｂ）２枚のシート状基材の少なくとも一方に凹部を形成し、これに永久磁石を収納するもの、（ｃ）接着剤または固着剤により永久磁石を２枚のシート状基材の少なくとも一方に固着するものが挙げられる。
【００１４】
なお、本明細書では、「２枚のシート状基材…」と記載されているが、これは「一対のシート状基材…」と同一の意味であり、シート状基材が全体で２枚である場合には限定されない。つまり、対をなすシート状基材の少なくとも一方は、単一の１枚ものであっても良いし、複数枚の材料を積層したものであってもよい。例えば、対をなすシート状基材の両方に２層積層タイプのシート状基材を使用した場合には、シート状基材は全体で４枚となる。
【００１５】
請求項２の考案に係る磁石カードは、前記シート状基材が軟質ポリ塩化ビニル、軟質ポリエチレンまたは熱可塑性エラストマーからなることを特徴とする請求項１に記載の磁石カードである。請求項３の考案に係る磁石カードは、前記シート状基材が透明または半透明であることを特徴とする請求項２に記載の磁石カードである。
【００１６】
請求項４の考案に係る磁石カードは、前記複数個の永久磁石を２枚のシート状基材間に挿入配置し、これらシート状基材の外周部同士および永久磁石近傍部位同士を熱溶着するとともに、これらシート状基材間の空気を排気することにより、永久磁石を２枚のシート状基材で挟持固定したことを特徴とする請求項２または３に記載の磁石カードである。また、請求項５の考案に係る磁石カードは、前記２枚のシート状基材における前記加熱溶着部を避けた所定部位に通気用の貫通孔を形成するとともに、該貫通孔の近傍部において前記２枚のシート状基材を熱溶着したことを特徴とする請求項４に記載の磁石カードである。
【００１７】
請求項６の考案に係る磁石カードは、前記２枚のシート状基材は形状が長方形であり、前記複数個の永久磁石は、直径方向に着磁された棒状磁石であることを特徴とする請求項５に記載の磁石カードである。
【００１８】
請求項７の考案に係る磁石カードは、前記棒状磁石と貫通孔とが２枚のシート状基材間に交互に碁盤目状に、かつ相互間に適宜間隔をあけて配置され、直径方向で隣り合う棒状磁石では、配置方向を同一にして、かつ上端部および下端部を揃えて配置されていることを特徴とする請求項６に記載の磁石カードである。
【００１９】
請求項８の考案に係る医療用衣服は、ポケットを設けた衣服本体と、請求項１〜７のいずれかに記載の磁石カードとを備えてなり、該磁石カードは前記ポケットに出し入れ自在であることを特徴とする医療用衣服である。
【００２０】
請求項９の考案に係る磁気サポータは、ポケットを設けたサポータ本体と、請求項１〜７のいずれかに記載の磁石カードとを備えてなり、該磁石カードは前記ポケットに出し入れ自在であり、前記サポータ本体の適所には互いに係止自在な係止部材が、これら相互間に適宜距離をあけて設けられていることを特徴とする磁気サポータである。
【００２１】
請求項１０の考案に係る磁気サポータは、前記サポータ本体は帯状体であって、その長手方向片側の半部が長方形に形成され、該半部の長手方向外側端部の近傍には第１の係止部材が設けられ、前記サポータ本体の長手方向反対側の半部は、長手方向の寸法が長・短に異なる第１、第２の股片に分かれているとともに、第１の股片の長手方向外側端部の近傍には第２の係止部材が、第２の股片の長手方向外側端部の近傍には第３の係止部材がそれぞれ設けられ、前記第２、第３の係止部材は、前記第１の係止部材に対し係脱自在であることを特徴とする請求項９に記載の磁気サポータである。
【００２２】
請求項１１の考案に係る磁気サポータは、前記係止部材がマジックテープ（登録商標）であることを特徴とする請求項９または１０に記載の磁気サポータである。
【考案の効果】
【００２３】
請求項１の磁石カードは上記構造となっているから、梱包や搬送が便利であり、またこの磁石カードを取り扱った時にカード内で永久磁石の位置が大きくずれることがなく、複数の磁石の配置位置を、この磁石カード製造当初と同一、またはほぼ同一の状態に拘束することができるため、利便性の高い血行促進用具として有効利用できる。
また、永久磁石を２枚のシート状基材間に封止したから、磁石カード外面の汚れ等の影響は磁石カードの内部に及ばない。この磁石カードの外面が汚れた場合にはこれを洗浄すればよいし、水をかぶった場合には乾燥させればよく、内部の永久磁石が汚れたり、水が付着したりする心配がない。さらに、この磁石カードを用いて本考案に係る医療用衣服を構成した場合、この医療用衣服の表面に、永久磁石に起因する凹凸や「かさ張り」が生じにくいため、この医療用衣服を着用したときの違和感等が生じたり、スタイルが崩れたりすることがない。
【００２４】
請求項２の磁石カードでは、シート状基材が軟質合成樹脂からなるシートであるから、可撓性に富むものとなり、ハンドリング時に折り曲げ力が加わっても、この磁石カードが損傷したり、折り目がついたりする不具合がない。また、この磁石カードを用いて本考案に係る医療用衣服を構成した場合、人体の曲面に倣って容易に変形するから、この医療用衣服を着用したときに違和感等が生じることがない。
請求項３の磁石カードでは、シート状基材が透明または半透明であるから、内部の永久磁石を容易に観察・点検することができ、永久磁石に生じた異常を早期に発見することができる。
【００２５】
請求項４の磁石カードでは、永久磁石を２枚のシート状基材で真空パックするものであるから、この磁石カードを簡便な工程で安価に製造することができるのに加えて、この磁石カードの厚みをごく薄く仕上げることができる。さらに、永久磁石のシート状基材への固定構造が簡単になる。
請求項５の磁石カードでは、所定のとおり通気用の貫通孔を形成するとともに、該貫通孔の近傍部において上下のシート状基材を熱溶着したから、通気性が高まる。したがって、この磁石カードを用いることで、通気性にも富む医療用衣服を構成することが可能となる。
【００２６】
請求項６の磁石カードでは、上記のように構成したから、この磁石カードの磁力を所望の値に設定すること、およびこの磁石カードのコンパクト化が容易であるうえ、安価に提供することが可能となる。
請求項７の磁石カードでは、棒状磁石と貫通孔との配置態様を所定のとおり設定したから、請求項６の磁石カードによる効果だけでなく、低磁力の磁石を用いて高磁力を得ることができる。すなわち、それぞれの永久磁石単独の磁力を合計したものよりも高い強度の磁力を人体に与えることができる。そのうえ、この磁石カードを、これに何らの損傷を与えることなく縦横両方向に容易に屈曲させることができる。
【００２７】
請求項８の考案によれば、上記請求項１〜７に係る磁石カードの利点を生かした、利便性の高い医療用衣服が提供され、この医療用衣服では以下の効果が得られる。
（１）磁石カードをポケットから取り出すことにより、この医療用衣服を通常の衣服と同様に洗濯することができる。したがって、従来の医療用衣服とは違って、洗濯により永久磁石や、これを装着した衣服部位に損傷等が生じることがなく、磁石カードを半永久的に使用することが可能である。
また、通常の下着やワイシャツ等の内面側（肌に直接または関節的に接触する側）に設けたポケットに入れた磁石カードを取り出し、通常の衣服として着用することもできる。
（２）磁石カードを使用するものであるから、この医療用衣服の表面に、永久磁石が原因である凹凸が生じにくい。
（３）永久磁石の配置個数・配置態様・磁力の大小等が異なる種々の磁石カードを用意しておき、使用する人の体力や体調、さらには目標とする血行促進効果に応じた好ましい磁力を有する磁石カードを選んでポケットに入れて使用することができる。また、この磁石カードをハンケチ等でくるむことにより、人体に与える磁力を低く調節することもでき、この場合、医療用衣服はそれほど、かさばる不具合はない。
（４）従来の医療用衣服では、永久磁石を基材に例えば絆創膏で固着してあるため、「かゆみ」や「むれ」が発生することがあったが、本考案の医療用衣服では、磁石カードをポケットに入れて使用する構造となっているから、このような心配がない。
【００２８】
請求項９に係る考案は、請求項８に係る医療用衣服が磁気サポータである場合に相当する。したがって、この磁気サポータでは、請求項８の考案による効果が得られるのに加えて、上記係止部材同士を係止させることにより、人体の各部位に着脱容易に的確に装着することができる。
【００２９】
請求項１０に係る磁気サポータは、所定のとおり構成されているから、太ももなど、太さ（外周長）が比較的大きく変化する人体部位に好適で、簡便に装着することができるものである。この場合、第１の股片は人体の長径部に、第２の股片は短径部にそれぞれ装着する。また、請求項１１に係る磁気サポータでは、上記係止部材がマジックテープ（登録商標）であり、これら係止部材同士の係脱動作をワンタッチで行えるから、極めて便利である。
【考案を実施するための最良の形態】
【００３０】
以下、本考案の実施の形態を、必要に応じ図面を参照して説明する。
上記シート状基材は、形状が長方形（正方形を含む）であることが好ましく、磁石カードにおける永久磁石の配置態様を簡単に設定することができ、また磁石カード使用時の利便性が高まる。また、上記シート状基材は透明または半透明であることが望ましく、これにより、磁石カードにおける永久磁石の形状・寸法や、配置状態を容易に確認することが可能となる。また、永久磁石としてボタン型（円盤型）とすれば、円筒型またはカプセル型の永久磁石の場合に比べて、磁石カードの厚さをより薄くすることができる。
【００３１】
本考案において、永久磁石を２枚のシート状基材間に挿入する場合の態様としては、上下各１枚のシート状基材間に永久磁石を挿入したものが典型例であるが、この典型例に係る磁石カードを構成する２枚のシート状基材のうち片側または両側にスナップ式のホックを取り付けておき、このフックを介して別のシート状基材を重ね合わせて取り付けることにより、人体に対する永久磁石の磁力を適宜値に低下させることも可能である（人体に与える磁力の調節）。
【００３２】
本考案に係る磁石カードを製造するには例えば以下の方法、すなわち、軟質合成樹脂（例えば、軟質ポリ塩化ビニルや軟質ポリエチレン、さらにはポリエステル系エラストマー等の熱可塑性エラストマー）からなるシート状基材上に複数の永久磁石を、相互間に適宜間隔をあけて配置し、これらの永久磁石を同じく軟質合成樹脂からなる他方のシート状基材で覆い、減圧条件下で上記２枚のシート状基材の外周部同士を、適宜温度で加熱しながらプレスすることにより溶着するか、接着剤で接着するか、または粘着剤で粘着する方法が採用できる。
【００３３】
また、本考案の磁石カードでは、２枚のシート状基材の外周部同士および、該２枚のシート状基材における永久磁石挟持部の近傍部位をラミネート（溶着、接着または粘着）することにより密着部を形成した構造とすることが望ましい。さらに、２枚のシート状基材では、上記密着部のうち、外周部と永久磁石とを避けた所定の部位に通気用の貫通孔を形成することが望ましい。
【００３４】
本考案に係る医療用衣服において、上記ポケットは通常、上端部を開放して磁石カードの出し入れ口とするが、開閉自在の構造としてもよい。後者の場合には、ボタン（スナップ式のホックなど）、面ファスナ（例えば、ループ状係止片を用いたマジックテープ（登録商標））、いわゆるジッパー、あるいは永久磁石を用い、係止片をポケット本体の上端部に係脱自在とすることができる。
【００３５】
また衣服本体は、通常の衣類と同様に、合成繊維及び／又は天然繊維からなる織編物で構成することが好ましいが、ポリアミド繊維及び／又はポリエステルからなる不織布で構成することもできる。また、衣服本体を、ポリウレタン繊維からなる織編物で構成することもできる。また、衣服本体は、ポリウレタン繊維とそれ以外の繊維とからなる織編物で構成し、ポリウレタン繊維以外の繊維としてポリアミド繊維、ポリエステル繊維、ウール、綿、絹からなる群から任意に選択された一つ、または複数の繊維を採用することも可能であり、それぞれの繊維の長所を活かした衣服本体を提供することが可能である。例えば、ポリウレタン繊維を適用したものでは、その弾性回復性を利用して、肌に対する密着性の高い医療用衣服が提供される。
【００３６】
[第１の実施形態]
図１は本考案に係る磁石カードの一例を示すもので、（ａ）は平面図、（ｂ）はそのＡ−Ａ線断面図である。この磁石カード１０は、形状・寸法・磁力が同一で円筒型（またはカプセル型）の永久磁石１１を複数、長方形で形状・寸法が合同である上下２枚のシート状基材２１，２２で真空パックすることによって気密状態に封入し、全体をカード型に構成したものである。またこの磁石カードでは、図１（ａ）の平面図において、永久磁石１１（１１Ａ〜１１Ｅ）と円形貫通孔２５が碁盤目状に、すなわちシート状基材２１，２２の縦方向および横方向において交互に配置された構造となっている。
【００３７】
この磁石カード１０では、軟質ポリ塩化ビニル、軟質ポリエチレン等の軟質合成樹脂からなり、透明でかつ十分な可撓性を有する上下２枚のシート状基材２１，２２の一方に複数の永久磁石１１を島状に配置し、これら永久磁石の配置部分以外では減圧操作により上下２枚のシート材同士を密着（密着部２３）させ、所定の部位では加熱プレス機で熱溶着（溶着部２４）して永久磁石１１をシート状基材２１，２２で挟持することにより、これら磁石の移動を拘束すると同時に、同じく上記加熱プレス機によって、シート状基材２１と２２の溶着部のうち、外周部と永久磁石１１とを避けた所定の部位に通気用の貫通孔２５を形成したものである。
【００３８】
上記磁石カード１０の製造に際しては、加熱プレス用突起（溶着用突起）、および穿孔用刃部を備えた所定構造の加熱プレス機（図略）を用意しておき、一方のシート状基材２１上の所定位置に永久磁石１１を１個ずつ配置し、他方のシート材２１をシート状基材２１上に重ね、これらシート状基材２１，２２の外周部および、永久磁石１１の近傍部位を適宜温度で加熱しながらプレスすることにより溶着する。これと同時に、穿孔用刃部により上記貫通孔２５を形成するとともに、この貫通孔の直近部位では上下２枚のシート状基材をリング状に溶着する。
【００３９】
さらに具体的に説明すると、上記磁石カード１０の製造は、例えば以下の工程に従えばよい。
（１）減圧状態と大気開放状態とに切替え操作が可能な容器内を大気開放状態とし、この容器内に形状・寸法が同一である２枚の、軟質合成樹脂製のシート状基材の一方をセットする第１工程、
（２）該シート状基材上に複数の永久磁石を、相互間に適宜間隔をあけて配置する第２工程、
（３）上記一方のシート状基材上に他方のシート状基材を、これら２枚のシート状基材同士が合同状態で重なりうるように位置決めする第３工程、
（４）上記永久磁石を上記他方のシート状基材で覆う第４工程、
（５）減圧操作により上記容器内を減圧状態に維持する第５工程、
（６）上記２枚のシート状基材の所定部位を、適宜温度で加熱しながらプレスする第６工程（ラミネートおよび貫通孔形成工程）、
（７）大気開放操作により容器内を大気圧条件に戻し、作製された磁石カードを取り出す第７工程。
【００４０】
図１の磁石カードでは、５個の永久磁石１１Ａ−１１Ｅは、その直径方向に着磁されたもので、その寸法・形状・磁力が同一である。さらに、磁石１１Ａと１１Ｂ、磁石１１Ｃと１１Ｄはそれぞれ、同一方向に揃えて並列に、上端部および下端部を揃えて、かつこれらの直径方向に適宜間隔をあけて配置されている。このように図１の磁石カードは、それぞれの永久磁石が請求項７に記載されたとおりに配置されているから、低磁力の磁石を用いて高磁力を得ることができる。
【００４１】
なお、上記加熱プレスによる溶着に替えて、２枚のシート状基材の所定部位を接着剤で接着する方法あるいは、粘着剤で粘着する方法を採用することもできる。また、上記永久磁石１１としては、希土類磁石の表面に金、ロジウムまたはチタンによるメッキ処理を施したもの採用することもできるし、永久磁石１１としてボタン型のものを使用することも可能である。
【００４２】
永久磁石１１は磁力が特に限定されるものではないが、通常２３０ミリテスラ以上、２５０ミリテスラ以下のものが用いられる。医療用具としては、３０〜２００ミリテスラであるので、適宜遮蔽物により磁力を弱めて使用することも可能である。磁力が小さすぎると、血行促進効果が少なくなる。
【００４３】
[第２の実施形態]
図２は、本考案に係る磁石カードの別例を示す平面図である。この磁石カード１０Ａではそれぞれの永久磁石１１（１１ａ〜１１ｆ）および貫通孔２５の配置を、図１とは異なったものとしている。すなわち、６個の円柱状の永久磁石１１ａ〜１１ｆは直径方向に着磁されたもので、その寸法・形状・磁力が同一であり、その長手方向に揃えて並列に配置されている。さらに、磁石１１ａと１１ｂ、磁石１１ｃと１１ｄ、磁石１１ｅと１１ｆがそれぞれ、互いに直径方向に均等な間隔をあけて、かつ上下端部を揃えて配置されている。また、磁石の長手方向に隣接する２つの磁石間（例えば磁石１１ａと１１ｃ）および、磁石の直径方向に隣接する２つの磁石間（例えば磁石１１ａと１１ｂ）には、通気用貫通孔２５が合計６つ形成さている。その他の構成は、図１の磁石カードと同様である。
【００４４】
この磁石カードでは、図１の磁石カードと同様に、低磁力の磁石を用いて高磁力を得ることができる。また、図２において直線Ｌ１，Ｌ２，Ｌ３は上記貫通孔２５の中心部を通るから、これら直線の部位で容易に折り曲げることができるし、もとの平坦状に戻すことも容易である。
【００４５】
[第３の実施形態]
図３（ａ）は本考案に係る医療用衣服の平面図（内面側）、図３（ｂ）はその背面図（外面側）である。この「内面側」とは、この医療用衣服を人体に装着したときに、肌に直接または下着等を介して間接的に接触する側を意味し、「外面側」とは、この医療用衣服を人体に装着したときに露出する側を意味する。図４はこの医療用衣服を人体の脚部に装着した状態を示す説明図である。
【００４６】
上記医療用衣服３０は磁気サポータであって、脚（ふくらはぎ、または太もも）に、この磁気サポータに設けた係止部材を用いて着脱容易に装着しうるように構成したもので、ポケット３１を設けた衣服本体４１（サポータ本体）と、図1に示す磁石カード１０とからなり、この磁石カードがポケット３１に、出し入り口３１ａを介して挿脱自在となっている点に特徴があり、ポケット３１を設けた側が上記「内面側」である。
【００４７】
サポータ本体４１は、例えばポリエステル繊維、ポリアミド繊維、ポリウレタン繊維などの合成繊維からなる布（織編物）で構成されている。サポータ本体４１では全体がほぼ同一幅に形成され、長手方向の一端部側では、サポータ本体４１の幅方向に互いに対向する２つの隅部が丸みをもって形成されている。サポータ本体４１の長手方向の他端部側は二股に、つまり第１および第２の股片５１，５２に分かれている。第１の股片５１の先端は、第２の股片５２の先端よりも、衣服本体４１の長手方向外側に突出している。
【００４８】
図３（ｂ）に示す外面側では、サポータ本体４１の上記一端部側に、マジックテープ（登録商標）（面ファスナとも呼ばれる）による第１の係止部材４２がサポータ本体４１のほぼ全幅にわたって設けられている。一方、図３（ａ）に示す内面側では、第１、第２の股片５１，５２の長手方向ほぼ半分の範囲にわたって、上記第１の係止部材４２に対し係脱自在な、マジックテープ（登録商標）による第２、第３の係止部材５１ａ，５２ａが設けられている。また、サポータ本体４１の長手方向中央部には上記ポケット３１が３つ、並列配備されている。上記マジックテープ（登録商標）としては例えば、ループ状係止片と、これに対し係脱しうる鉤状係止片との組合せを用いたものが挙げられる。なお、図３（ａ）（ｂ）において、符号３１ｂはポケット取付け用の縫合部（縫い付け部）、符号４１ａは補強用の縫合部である。
【００４９】
図３（ａ）において、ポケット３１の上端部は第１の股片５１側に位置して全面的に開放され、磁石カード１０および１０Ａの出し入れ口３１ａとなっているが、これに替えてボタン（スナップ式のものなど）、マジックテープ（登録商標）、ジッパー（いわゆるチャック）、あるいは永久磁石を用いて係止するものにより開閉自在とすることもできる。ポケット３１の下端部は第２の股片５２側に位置し、全体的に閉止されている。
【００５０】
この磁気サポータ３０を使用するに際しては、これを図４に示すように、磁石カード１０または１０Ａをポケット３１に入れ、ポケット３１が内面側となるように脚（ふくらはぎ）１００に巻き付け、第２、第３の係止部材５１ａ，５１ｂを第１の係止部材４２に係止することにより、この医療用衣服３０を脚１００に装着する。この場合、第１の股片５１の先端部が脚の上部側に位置するように巻き付ける。その理由は、脚の周長では上部側が下部側に比べて長いのに対応して、衣服本体４１の長手方向の長さ、つまり脚に対する巻き付け長さでは、第１の股片５１を第２の股片５２に比べて長くしてあるからである。
言い換えると、本考案の磁気サポータが、腰部や手首などのように、周長さに大きな変化がない人体部位に装着するものである場合には、上記のように二股構造とすることはそれほど重要ではなく、サポータ本体４１の全体をほぼ長方形に形成するとともに、長手方向両端部に、上記第１の係止部材４２と同一の形状・寸法の係止部材を設ければよい。
【００５１】
上記医療用衣服（磁気サポータ）３０によれば、以下の効果が得られる。
（１）磁石カード１０（または１０Ａ）をポケット３１から取り出すことにより、この医療用衣服３０を通常の衣服と同様に洗濯することができる。したがって、従来の医療用衣服とは違って、洗濯により永久磁石や、これを装着した衣服部位に損傷等が生じることがなく、磁石カード１０を半永久的に使用することが可能である。
また、衣服本体４１が下着、ワイシャツ等の衣料である場合には、磁石カード１０をポケット３１から取り出し、この医療用衣服３０を通常の下着、ワイシャツとして使用することが可能である。
（２）磁石カードを使用するものであるから、この医療用衣服の表面に永久磁石に起因する凹凸が生じにくいため、着用しているときに外観が低下したり、違和感が生じたりする心配がない。
（３）永久磁石の配置個数・配置態様・磁力の大小等が異なる種々の磁石カードを用意しておき、使用する人の体力や体調、さらには目標とする血行促進効果に応じた好ましい磁力および磁力分布を有する磁石カードを選ぶことができる。また、この磁石カードをハンケチ等でくるむことにより磁力を低い値に調節することもでき、この場合、医療用衣服が特別かさばる不具合は生じない。
（４）従来の医療用衣服では、永久磁石を基材に例えば絆創膏で固着してあるため、「かゆみ」や「むれ」が発生することがあったが、本考案の医療用衣服では、磁石カードをポケットに入れて使用する構造となっているから、このような心配がない。
（５）磁石カードでは、適宜箇所に貫通孔を形成したから、この磁石カードの通気性、したがって本考案の医療用衣服の通気性を確保することができる。
【００５２】
本考案に係る医療用衣服は、人体のうち肩、腕、手首、手の甲、足の甲、腰、背中、脚（ふくらはぎ、太もも）など、人体の種々の部位に適用することができる。また、所望により犬などのペット用に使用することもできる。
【図面の簡単な説明】
【００５３】
【図１】本考案に係る磁石カードの一例を示すもので、（ａ）は平面図、（ｂ）はそのＡ−Ａ線断面図である。
【図２】本考案に係る磁石カードの別例を示す平面図である。
【図３】（ａ）は本考案に係る医療用衣服の一例である磁気サポータの平面図（内面側）、（ｂ）はその背面図（外面側）である。
【図４】図３の磁気サポータを脚部に適用した状態を示す説明図である。
【符号の説明】
【００５４】
１０  磁石カード
１０Ａ  磁石カード
１１  永久磁石
１１Ａ−１１Ｅ  永久磁石
１１ａ−１１ｆ  永久磁石
２１  シート状基材
２２  シート状基材
２３  密着部
２４  溶着部
２５  貫通孔
３０  医療用衣服
３１  ポケット
３１ａ  （磁石カードの）出し入れ口
３１ｂ  縫合部
４１  衣服本体
４１ａ  縫合部。
４２  第１の係止部材
５１  第１の股片
５１ａ  第２の係止部材
５２ａ  第３の係止部材
５２  第２の股片
１００  脚（ふくらはぎ）
【図１】
0003109199.tif 000003
【図２】
0003109199.tif 000004
【図３】
0003109199.tif 000005
【図４】
0003109199.tif 000006
【手続補正書】
【提出日】平成17年1月28日(2005.1.28)
【手続補正１】
【補正対象書類名】実用新案登録請求の範囲
【補正対象項目名】請求項１１
【補正方法】変更
【補正の内容】
【請求項１１】
前記係止部材が面ファスナーであることを特徴とする請求項９または１０に記載の磁気サポータ。
【手続補正２】
【補正対象書類名】明細書
【補正対象項目名】００２２
【補正方法】変更
【補正の内容】
【００２２】
請求項１１の考案に係る磁気サポータは、前記係止部材が面ファスナー（以下、「マジックテープ（登録商標）」という。）であることを特徴とする請求項９または１０に記載の磁気サポータである。